(57)【特許請求の範囲】
【請求項１】
媒体の性質を検出するための検出装置であって、
少なくとも１つの検出センサを有しており、該検出センサがハウジング内に配置されており、該ハウジングがハウジングカバーを有していて、該ハウジングカバーが一体的な成形部分であって、前記ハウジングカバーに接して又は前記ハウジングカバー内に調整部材が配置されており、前記ハウジングカバーが、前記媒体のための少なくとも１つのインレット通路を形成しており、該インレット通路が第１の部分と第２の部分とを有している形式のものにおいて、
前記第１の部分と前記第２の部分とが互いに、ゼロとは異なる角度を成して配置されており、前記インレット通路の前記第１の部分が封止剤により密閉される
ことを特徴とする媒体の性質を検出するための検出装置。
【請求項２】
前記第１の部分が第１の開口と第２の開口とを有しており、
前記第１の開口が前記第２の開口よりも大きい開口横断面を有しており、
前記封止剤が前記第１の開口を密閉する
ことを特徴とする請求項１に記載の検出装置。
【請求項３】
前記ハウジングカバーが熱可塑性樹脂であって、
前記封止剤がシリコーン化合物である
ことを特徴とする請求項２に記載の検出装置。
【請求項４】
前記ハウジングカバーが少なくとも１つの第２の通路を有しており、
前記第２の通路が前記ハウジングカバーの内側から前記ハウジングカバーの外側に延在していて、前記ハウジングカバーの外側の開口が前記第１の部分の第１の開口と間接的又は直接的に接続されている
ことを特徴とする請求項２又は３に記載の検出装置。
【請求項５】
前記調整部材が前記第１の部分の前記第２の開口に取り付けられている
ことを特徴とする請求項２から４のいずれか１項に記載の検出装置。
【請求項６】
前記第１の部分と前記第２の部分とが接続領域で互いに上下に移行しており、
前記第１の部分および前記第２の部分の通路横断面が丸味付けされた角縁を有する正方形である
ことを特徴とする請求項２から５のいずれか１項に記載の検出装置。
【請求項７】
前記第１の部分および前記第２の部分の前記通路横断面が異なる大きさを有している
ことを特徴とする請求項６に記載の検出装置。
【請求項８】
前記第１の部分の前記第１の開口が前記第１の部分および前記第２の部分の接続領域に配置されており、
前記封止剤が密閉された前記第１の開口の内側において傾斜面の形を形成している
ことを特徴とする請求項６又は７に記載の検出装置。
【請求項９】
請求項１から３のいずれか１項に記載の検出装置を製造するための方法において、
前記インレット通路の前記第１の部分および前記インレット通路の前記第２の部分を成形部分として構成し、前記第１の部分を封止剤によって密閉する
ことを特徴とする検出装置を製造するための方法。
【請求項１０】
前記第１の部分を、第１の開口および第２の開口を備えて成形し、
前記第１の開口が前記第２の開口よりも大きい開口横断面を有しており、
前記封止剤により前記第１の開口を密閉する
ことを特徴とする請求項９に記載の方法。
【請求項１１】
ハウジングカバーを熱可塑性樹脂より成形し、
封止剤としてシリコーン化合物を使用する
ことを特徴とする請求項１０に記載の方法。
【請求項１２】
前記ハウジングカバーをシール剤によってハウジングに取り付け、それと同時に、前記第１の開口を封止剤としてのシール剤によって密閉する
ことを特徴とする請求項１０又は１１に記載の方法。
【請求項１３】
前記第１の部分と前記第２の部分を接続領域内で互いに上下に移行するようにし、
前記第１の部分および前記第２の部分の通路横断面を、丸味付けされた角縁を有する正方形に成形する
ことを特徴とする請求項１０から１２のいずれか１項に記載の方法。
【請求項１４】
前記第１の部分および前記第２の部分の前記通路横断面が異なる大きさを有するように成形する
ことを特徴とする請求項１３に記載の方法。
【請求項１５】
前記第１の部分の前記第１の開口を前記第１の部分および前記第２の部分の前記接続領域に配置し、
前記封止剤を密閉された前記第１の開口の内側において傾斜面の形に形成する
ことを特徴とする請求項１３又は１４に記載の方法。
【発明の詳細な説明】
【技術分野】
【０００１】
本発明は、検出装置およびこのような形式の検出装置を製造するための方法に関する。
【背景技術】
【０００２】
従来技術によれば、媒体の性質を検出するための検出装置が公知である。
【０００３】
一般的に、このような検出装置は検出センサを有しており、この検出センサは、検出装置のハウジング内に配置されている。このようなハウジングは一般的にプラスチックより成っていて、射出成形法により製造される。またこのようなハウジングはハウジングカバーを有しており、このハウジングカバーは、一般的にやはりプラスチックより成る一体的な成形部分として射出成形法により製造される。
【０００４】
次いで、ハウジングカバーは検出装置の組み立てステップで、シール例えば射出成形されたシリコーンシールと共に、ハウジングに取り付けられ、このシールが検出センサを好ましくない外部の影響に対して保護する。
【０００５】
性質が検出されるべき媒体を検出装置の検出センサに近づけるために、一般的な形式でハウジングカバー内にインレット開口が形成される。本発明の枠内で、ハウジングカバーはインレット開口の代わりにインレットスリーブを備えたインレット通路を形成しており、このインレットスリーブを介して検出装置は媒体に接続され得る。このようなインレットスリーブを備えたインレット通路は、例えばシリコーンより製造されかつ歩行者が車両に衝突するのを検出するために構成されたチューブ等の容積部内の媒体の性質を検出しようとする場合に、有利である。
【０００６】
媒体の性質の検出を誤らないようにするために、検出装置に、一般的にハウジングカバーに調整部材が配置されている。調整部材は、所定の調整率を有するように構成されている。調整率は、次の使用のために重要な領域内の媒体の性質の変化が検出され、その他の変化は調整されるように選定されなければならない。典型的にはこれは、衝突の検出時に、衝突に基づく迅速な圧力上昇は検出可能でなければならず、温度又は高さの変化に基づくゆっくりとした圧力変化は調整されなければならない、ということである。このために、調整部材は、検出装置の開口上又は開口に、例えばハウジングカバーに取り付けられ、この開口は既存のインレット開口よりも著しく小さいか、若しくはこの実施例ではインレットスリーブを備えたインレット通路が有している開口よりも小さい。
【０００７】
従来では、調整のために必要な調整開口は、相応に構成された成形工具を用いてインレット通路の成形と共に１回のステップで成形されるか、又はこの成形工具に対向する別個の成形工具を用いて成形されていた。この場合、例えばインレット通路のために４ｍｍの通路直径が選択され、調整開口のために０．８ｍｍの開口直径が選定されている。調整部材、例えば接着可能な圧力調整部材は、別の方法ステップで調整開口上に接着されていた。インレット通路の第１の部分とインレット通路の第２の部分とが互いに、ゼロとは異なる角度を成して配置されている、インレット通路の構成によって、従来の製造法ではインレット通路の離型はもはや不可能である。離型を実現するために、大きい直径を有する接着された圧力調整部材を用いても好結果は得られない。何故ならば、空気流量が多くなり過ぎて圧力信号を誤らせることになるからである。
【発明の概要】
【０００８】
車両内に検出装置を最適に取り付けるために、検出装置の幾何学的特性に高い要求が課せられる。このような高い要求は、製造方法を複雑にする。このような製造方法を効果的かつ安価に実現するために、検出装置において調整を行うことが絶対に必要となる。
【０００９】
このような背景から、本発明によれば、独立請求項に記載した検出装置およびこのような検出装置を製造するための方法が提案されている。好適な実施態様は、それぞれの従属請求項および以下の説明から得られる。
【００１０】
媒体の性質を検出するための本発明による検出装置は、次の特徴を有している。即ち、少なくとも１つの検出センサを有しており、該検出センサがハウジング内に配置されており、該ハウジングがハウジングカバーを有していて、該ハウジングカバーが一体的な成形部分であって、前記ハウジングカバーに接して又は該ハウジングカバー内に調整部材が配置されており、前記ハウジングカバーが、媒体のためのインレットスリーブを備えた少なくとも１つのインレット通路を形成しており、該インレット通路が第１の部分と第２の部分とを有しており、この場合、第１の部分と第２の部分とが互いに、ゼロとは異なる角度を成して配置されていて、封止剤がインレット通路の第１の部分を密閉している。
【００１１】
検出装置のケーシングカバーを本発明に従って構成したことによって、ハウジングカバーにおいてインレットスリーブを、離型工具を用いて１回の射出成形法で一体的な成形部分として成形することができる。離型のために必要な開口は、封止剤によって密閉される。これによって、インレット通路が第１の部分および第２の部分を備えているにも拘わらず、検出装置の機能は維持され、この場合、第１および第２の部分は互いに、ゼロとは異なる角度、特に９０°の角度を成して配置されていて、変化することはなく、効果的な製造プロセスが保証される。
【００１２】
封止剤とは、ここでは、例えばシリコーン化合物等の物質のことである。
【００１３】
好適な実施態様によれば、第１の部分が第１の開口と第２の開口とを有していて、第１の開口が、第２の開口よりも大きい開口横断面を有しており、封止剤が第１の開口を密閉する。
【００１４】
このような構成によれば、検出装置のインレット通路の第１の部分は、離型工具を用いて成形することができる、という利点がある。また、離型工具は第１の開口を介して引き抜くことができ、この引き抜き過程において第２の開口を成形することもできる。このために、離型工具を相応に構成するだけでよい。既に公知であるように、インレット通路の第１の部分は、第１の離型工具を用いて第１の開口を介して成形され、第１の部分の第２の開口は、第１の離型工具に対向する第２の離型工具を用いて成形される。従って、インレット通路を有する検出装置は一体的な成形部分として製造することができ、この場合、インレット通路は、第１の部分と第２の部分とを有していて、第１および第２の部分は互いに、ゼロとは異なる角度、特に９０°の角度を成して配置されている。次いで、第１の開口は封止剤によって密閉され、それによってインレット通路は、第１および第２の部分を有する一体的な成形部分として形成され、この場合、第１および第２の部分は互いに、ゼロとは異なる角度を成して配置されている。
【００１５】
好適な実施態様によれば、ハウジングカバーは熱可塑性樹脂、例えばガラス繊維若しくはガラス玉を入れたＰＢＴ，ＰＡ等であって、封止剤がシリコーン化合物、例えば白金触媒化された多成分シリコーンゲル等である。シリコーン化合物は熱可塑性樹脂材料に対する付着性が非常に良いので、このような材料組合せを使用した場合、別の接続技術、例えば機械的な係止、機械的な嵌め込み、接着等のその他の接続技術はもはや必要ない。
【００１６】
好適な実施態様によれば、ハウジングカバーが少なくとも１つの第２の通路を有しており、該第２の通路がハウジングカバーの内側からハウジングカバーの外側に延在していて、ハウジングカバーの外側の開口が第１の部分の第１の開口と間接的又は直接的に接続されている。
【００１７】
ハウジングカバーの内側からハウジングカバーの外側に延在する第２の通路は、シール剤、特に加工段階で概ね液状であるシール剤を取り付ける際に、このシール剤を同時に封止剤としてインレット通路の第１の部分の第１の開口を密閉するために使用するのに適している。このために、ハウジングカバーの内部に施されるシール剤は、第２の通路を介してハウジングカバーの内側から外側へ達し、この外側から直接的に又は間接的に、例えばウエブを介して到達しようとする開口に達し、この開口を密閉する。従って、この過程においてインレット通路はシール剤で満たされ、第１の開口は、例えばインレット通路の第２の部分を介して挿入される父型工具によって仕切られる。
【００１８】
好適な実施態様によれば、調整部材が第１の部分の第２の開口に取り付けられている。
【００１９】
好適な実施態様によれば、第１の部分と第２の部分とが、接続領域で互いに上下に移行しており、この場合、第１の部分および第２の部分の通路横断面が、丸味付けされた角縁を有する、概ね正方形である。
【００２０】
２つの部分がその内側に尖った縁部を形成することなしに、互いに移行し合うことを保証するために、通路横断面が２つの部分の接続部において、丸味付けされた角縁を有する、概ね正方形であれば、好適である。これによって、尖った縁部の形成は避けられる。このような横断面は、離型工具の相応の構成を介して簡単に実現できる。丸味付けされた角縁を有する、概ね正方形の構成は、さらに、シールするのに困難である接続面を形成することがない、という利点を有している。
【００２１】
別の好適な実施態様によれば、第１および第２の部分の通路横断面は異なる大きさを有している。
【００２２】
第１および第２の部分の、丸味付けされた角縁を有する、概ね正方形の通路横断面が、異なる大きさを有していることによって、不都合な尖った縁部を形成することなしに、非常に容易に、第１の部分が第２の部分に移行するか、若しくはそれとは逆に第２の部分が第１の部分に移行することが保証される。
【００２３】
好適な実施態様によれば、第１の部分の第１の開口が、第１の部分および第２の部分の接続領域に配置されており、封止剤が、密閉された第１の開口の内側において傾斜面の形を形成している。
【００２４】
封止剤が第１の開口を満たすようにしたい場合、封止剤が密閉された第１の開口の内側において傾斜面の形を形成するようにすれば、硬化プロセスのために有利であることが分かった。これによって、故障しにくさおよびひいては高いシール性が得られる。これは、特に加工状態において液状であるか若しくは粘性のある封止剤、例えばシリコーン化合物等に当てはまる。
【００２５】
本発明による検出装置のための本発明による製造法は、インレット通路の第１の部分およびインレット通路の第２の部分を一体的な成形部分として構成し、第１の部分を封止剤によって密閉するという特徴を有している。
【００２６】
インレット通路の第１の部分を密封剤で密封することによって、ハウジングカバーにおいてインレット通路を、離型工具を用いて１回の射出成形法で一体的な成形部分として成形することができる。離型のために必要な開口は、密封剤によって密封される。これによって、インレット通路が第１の部分および第２の部分を備えているにも拘わらず、検出装置の機能は維持され、この場合、２つの部分は互いに、ゼロとは異なる角度、特に９０°の角度を成して配置されていて、変化することはなく、効果的な製造プロセスが保証される。
【００２７】
製造方法の好適な実施態様によれば、ハウジングカバーはシール剤を用いてハウジングに取り付けられ、それと同時に第１の開口は封止剤としてのシール剤によって密閉される。
【００２８】
ハウジングカバーがハウジング上に配置される組み立てステップで、検出装置をシールするためにシール剤が使用される。このようなシール剤は、検出装置および特に検出装置内の検出センサを、好ましくない外部の影響に対して保護する。このようなシール剤は、液状または粘性の物質として射出される。通常は、このような形式のシール剤は後から硬化する。これは、シールのために使用された同じ物質がインレット通路の第１の部分の第１の開口を密閉するためにも使用されることによって、有利に利用される。従って、ハウジングカバーをハウジング上に配置すると同時に、ハウジングカバーの第１の開口を密閉することもできる。
【図面の簡単な説明】
【００２９】
【図１】従来技術による検出装置の断面した側面図である。
【図２】従来技術による検出装置のハウジングカバーの断面した側面図である。
【図３】本発明による検出装置のハウジングカバーの断面した側面図である。
【図４】本発明による検出装置のハウジングカバーの断面した斜視図である。
【図５】射出成形中の検出装置のハウジングカバーの断面した斜視図である。
【図６】密閉若しくは閉鎖中の検出装置のハウジングカバーの断面した斜視図である。
【図７】本発明による検出装置のハウジングカバーの下面の斜視図である。
【図８】本発明による検出装置のハウジングカバーの下面の断面した斜視図である。
【図９】本発明による検出装置のための、本発明による製造法の工程図である。
【発明を実施するための形態】
【００３０】
本発明を以下に添付の図面を用いて例を挙げて詳しく説明する。
【００３１】
図１は、従来技術による検出装置１００を断面した側面図を示す。検出装置１００は、ハウジングカバー１１０と、ハウジング１２０内の検出センサ１３０とを有している。ハウジングカバー１１０は、インレットスリーブ１１２を有するインレット通路１１３を形成しており、インレットスリーブ１１２は、このインレットスリーブに、容積部Ｖ２、例えば衝突を検出するためのシリコーンチューブを取り付けることができるように形成されている。また、ハウジングカバー１１０は、調整開口１１４を有しており、この調整開口１１４は、接着された調整部材として形成された密閉部材１１６によって閉鎖されている。ハウジング１２０は、プラグ接点１２６を備えたプラグ１２４、並びにクリップ係合部として形成された保持エレメント１２２を有している。
【００３２】
ハウジング１２０およびハウジングカバー１１０は、射出成形法により一体的な成形部分として製造される。
【００３３】
１回の組み立て法により、検出センサ１３０はハウジング１２０内に配置され、ハウジングカバー１１０は保持エレメント１２２によってハウジング１２０に固定される。この場合、シール剤１４２は、組み立て時に検出センサ１３０がプラグ接点１２６に接続されると同時に、妨害の影響に対してシールされるように、ハウジングカバー１１０に取り付けられる。さらに、ハウジングカバー１１０は、妨害の影響に対して検出装置１００の内部を付加的にシールする別のシール剤１４４を有している。
【００３４】
図２は、従来技術による検出装置１００のハウジングカバー１１０を断面した側面図を示す。矢印は、離型工具の引き抜き方向を示しており、離型工具は、射出成形前に鋳型内に設置され、射出成形後に成形された部分を工具から離型するために引き抜かれる。このような形式で、インレット通路１１３および調整開口１１４が形成される。この方法による制約を受けて、離型しようとする部分の横断面は、離型工具の引き抜き方向で均一であるか、又は次第に拡大していなければならない。そうでなければ、射出成形工程後に離型工具を工作物から取り外すことができなくなる。
【００３５】
図３は、本発明による検出装置１００のハウジングカバー３１０の断面した側面図を示す。図３においても、矢印は離型工具の引き抜き方向を示す。図３により明らかなように、インレット通路３１３は、第１の部分３１３ａと第２の部分３１３ｂとを有しており、これら２つの部分は互いに、ゼロとは異なる角度、ここでは９０°の角度を成して配置されている。また、図面で分かるように、第１の部分３１３ａには第１の開口３１８ａおよび第２の開口３１８ｂが設けられている。図示の実施例では、第１の開口３１８ａおよび第２の開口３１８ｂは、それぞれ１つの離型工具によって離型される。この場合、第１の離型工具は第１の部分３１３ａおよび第１の開口３１８ａを離型し、第２の離型工具が第２の開口３１８ｂを、第１の離型工具とは逆方向に離型する。また、第２の開口３１８ｂが第１の離型工具によって、第１の部分３１３ａおよび第１の開口３１８ａの離型と同時に離型されてもよい。何故ならば、第２の開口３１８ｂは、第１の部分３１３ａ若しくは第１の開口３１８ｂよりも小さい開口横断面を有しているからである。第２の部分３１３ｂは、第３の離型工具によって離型される。この場合、２つの部分は図示の実施例では互いに９０°の角度を成して配置されている。第１の開口３１８ａのためのシール剤１４２，１４４および封止剤３１４も見てとれる。さらに、図示の実施例では、第２の通路３１５が示されており、この第２の通路３１５は、ハウジングカバーの内側をハウジングカバーの外側に接続し、ウエブ３１７を介して間接的に第１の開口３１８ａに接続している。このような形式で、シール剤１４２，１４４は封止剤３１４として、第２の通路３１５およびウエブ３１７を介して第１の開口３１８ａを密閉する。
【００３６】
図４は、本発明による検出装置のハウジングカバー３１０を断面した斜視図を示す。図示の実施例では、図３とは異なり、シール剤１４２，１４４および封止剤３１４は図示されていない。斜視図によって、第１の部分３１３ａと第２の領域３１３ｂとの接続領域４１９における丸味付けされた角縁を有する正方形の横断面が明瞭に示されている。
【００３７】
図５は、射出成形中における検出装置のハウジングカバー３１０を断面した斜視図を示す。この場合、図５には、第１の部分３１３ａおよび第２の部分３１３ｂを離型するための離型工具５１０，５２０が示されている。この場合、第１の離型工具５１０の根元側における変更された横断面が明瞭に示されている。また、第２の離型工具５２０のヘッド側の変更された横断面が示されている。接続領域４１９において、２つの離型工具５１０，５２０は互いに当接し合う。離型工具の丸味付けされた角縁を有する正方形の横断面は、２つの工具が互いにぴったりと当接し合うように配慮するので、離型し易い接続領域が得られる。
【００３８】
図６は、第１の開口３１８ａの密閉若しくは閉鎖中における検出装置のハウジングカバー３１０を断面した斜視図を示す。第１の開口を閉鎖するために、シール剤１４２，１４４が使用され、これらのシール剤１４２，１４４は、第２の通路１３５を介して、ハウジングカバーの内側からハウジングカバーの外側へとガイドされる。ハウジングカバーの外側は、ウエブ３１７を介して第１の開口３１８ａと間接的に接続している。封止剤３１４としてのシール剤１４２，１４４が、インレット通路３１３、特にインレット通路３１３の第１の部分３１３ａを完全に満たさないように、工具６１０が、密閉若しくは閉鎖中にインレット通路３１３の第２の部分３１３ｂ内に導入される。この場合、工具６１０は、第２の離型工具５２０と類似の構造を有している。しかしながらヘッド領域はより長く構成されているので、ヘッド領域は第１の部分３１３ａの壁部に当接することができる。シール剤１４２，１４４若しくは封止剤の硬化後に、再び工具を第２の部分３１３ｂから引き抜く。次いで、第１の開口３１８ａを密閉する封止剤３１４が残される。
【００３９】
図７は、本発明による検出装置のハウジングカバー３１０の下面の斜視図を示す。図面には、第２の通路３１５に通じる開口が明瞭に示されており、この第２の通路３１５を通ってシール剤１４２，１４４がガイドされ、それによってシール剤１４２，１４４が封止剤３１４として第１の開口３１８ａを密閉することができる。
【００４０】
図８は、本発明による検出装置のハウジングカバー３１０の下面の断面した斜視図を示す。図面では、シール剤１４２，１４４も断面して示されている。この断面図によって、シール剤１４２，１４４が、どのように第２の通路３１５を貫通して、第１の開口３１８ａのための封止剤３１４として用いられるかが分かる。
【００４１】
図９は、本発明による検出装置１００のための本発明による製造法９００の工程図を示す。この場合、ステップ９１０で、ハウジングカバー３１０がインレット通路３１３と共に一体的な成形部分として成形され、このインレット通路３１３は、互いにゼロとは異なる角度、特に９０°の角度を成して配置された第１の部分３１３ａおよび第２の部分３１３ｂを有しており、また、第１の部分３１３ａは第１の開口３１８ａおよび第２の開口３１８ｂを有している。ステップ９２０で、第１の開口３１８ａは封止剤３１４によって密閉される。ステップ９３０で、検出センサ１３０はハウジング１２０内に配置され、ハウジングカバー３１０が、シール剤１４２，１４４および保持エレメント１２２によってハウジング１２０に固定され、それによって検出センサ１３０はプラグ接点１２６と接触接続する。
【００４２】
以上説明され、図面に示された実施例は、例として挙げられただけである。様々な実施例を完全に又は個別の特徴に関連して互いに組み合わせることができる。１つの実施例を別の実施例の特徴によって補ってもよい。さらに、本発明による方法ステップは繰り返すことができ、また図示の順番とは異なる順番で実施されてもよい。
【符号の説明】
【００４３】
１００  検出装置
１１０  ハウジングカバー
１１２  インレットスリーブ
１１３  インレット通路
１１４  調整開口
１１６  密閉部材
１２０  ハウジング
１２２  保持エレメント
１２４  プラグ
１２６  プラグ接点
１３０  検出センサ
１４２，１４４  シール剤
３１０  ハウジングカバー
３１３  インレット通路
３１３ａ  第１の部分
３１３ｂ  第２の部分
３１４  封止剤
３１５  第２の通路
３１７  ウエブ
３１８ａ  第１の開口
３１８ｂ  第２の開口
４１９  接続領域
５１０  第１の離型工具
５２０  第２の離型工具
６１０  工具
９００  製造法
９１０，９２０，９３０  ステップ
【図１】
0006028106.tif 000002
【図２】
0006028106.tif 000003
【図３】
0006028106.tif 000004
【図４】
0006028106.tif 000005
【図５】
0006028106.tif 000006
【図６】
0006028106.tif 000007
【図７】
0006028106.tif 000008
【図８】
0006028106.tif 000009
【図９】
0006028106.tif 000010